(57)【要約】【目的】  縦六列に並んだ差し込み穴の左側二列に電源配線、分岐配線、コンセント配線、三列目と四列目の差し込み穴にスイッチ配線、右側二列の差し込み穴に負荷配線を差し込むことで所要の結線がなされるジョイントボックスを提供する。【構成】  差し込み式電線コネクター三個を縦向き三列に並べて設け、その右側に二本接続用差し込み式電線コネクターを横向きに任意の個数設け、その右側に差し込み式電線コネクター一個を縦向きに設け、差し込み穴を縦六列に構成し、左から三列目と四列目の差し込み穴の下に二本接続用差し込み式電線コネクター二個を横向き二列に並べて設け、縦向きに設けた左から一列目と三列目の差し込み式電線コネクターを電気的に接続をして、二列目と右端の差し込み式電線コネクターを電気的に接続することを特徴とする電気配線用ジョイントボックスである。【選択図】図１
2011086594.tif 000002
【特許請求の範囲】
【請求項１】
差し込み式電線コネクター三個を縦向き三列に並べて設け、その右側に二本接続用差し込み式電線コネクターを横向きに任意の個数設け、その右側に差し込み式電線コネクター一個を縦向きに設け、差し込み穴を縦六列に構成し、左から三列目と四列目の差し込み穴の下に二本接続用差し込み式電線コネクター二個を横向き二列に並べて設け、縦向きに設けた左から一列目と三列目の差し込み式電線コネクターを電気的に接続をして、二列目と右端の差し込み式電線コネクターを電気的に接続してなる回路のジョイントボックス。
【請求項２】
差し込み穴の間隔を差し込み式電線コネクターの横幅と同じか、横幅以上の間隔にした差し込み式電線コネクター。
【発明の詳細な説明】
【技術分野】
【０００１】  本発明は，電気配線の結線をする際に、差し込み式電線コネクターを使って結線するジョイントボックスに関するものである。
【背景技術】
【０００２】  従来、ジョイントボックスは、うすい箱状の中に回路結線を施したものを設け側面に差し込み穴を設けたものや、固定台に差し込み式電線コネクターをつけて結線するものがあり、差し込み式電線コネクターは差し込み穴の間隔を短くしたものであった。
【先行技術文献】
【特許文献】
【０００３】
【特許文献１】  特開２００２−３５２８７４
【特許文献２】  特開２００１−２３７００４
【特許文献３】  特開２００１−３５９２２６
【発明の概要】
【発明が解決しようとする課題】
【０００４】  従来技術において、前述のものにおいては、差し込み穴がボックスの側面にあり、またコンセント配線、スイッチ配線、負荷配線の差し込み穴の位置が、隣あってあるのではない為、どこに差し込むかは表示を見ないと分からないという欠点と、結線回路を施す必要があり、後述のものにおいてはスイッチ二回路コンセント一回路の結線しかできない事と、差し込み式電線コネクターを離れた位置に付ける構造のためケーブルの二芯を同時に差し込む事ができないという欠点があった。
本発明は、上述の欠点を解消するためになされたものである。
【課題を解決するための手段】
【０００５】  差し込み穴の間隔を差し込み式電線コネクターの横幅と同じか、横幅以上の間隔にした差し込み式電線コネクターを用いて、電源配線、分岐配線、コンセント配線の二芯、スイッチ配線の二芯、負荷配線の二芯を端から順番に差し込めるように、差し込み式電線コネクターを縦向き三列に並べて設け、その右側に二本接続用差し込み式電線コネクターを横向きに任意の個数、差し込み穴を横一列に揃えて設け、さらにその右側に差し込み式電線コネクター一個を縦向きに差し込み穴を縦六列にして設ける。
また、三路スイッチ配線の結線ができるように左から三列目と四列目の差し込み穴の下に差し込み穴を縦列揃えて二本接続用差し込み式電線コネクター二個を横向き二列にして設ける。
そして、縦向きに設けた差し込み式電線コネクターの左から一列目の差し込み式電線コネクターと三列目の差し込み式電線コネクターを電気的に接続をして二列目の差し込み式電線コネクターと右端の差し込み式電線コネクターを電気的に接続する。
【発明の効果】
【０００６】  上述のように差し込み穴が縦六列に並んでいる為、左側一列目と二列目の差し込み穴に電源配線、分岐配線、コンセント配線の二芯を差し込み、三列目と四列目の差し込み穴にスイッチ配線の二芯を差し込む。
また三路スイッチ配線の三芯二本は、左側三列目と四列目の差し込み穴の列に横向けに設けた二本接続用差し込み式電線コネクター二個の差し込み穴と、その上の差し込み穴の三個の差し込み穴二列に三路スイッチ配線の三芯二本を各縦列の差し込み穴に差し込む。
そして負荷配線の二芯を右側二列の差し込み穴に差し込むことで上記、各結線がなされる。
【図面の簡単な説明】
【０００７】
【図１】  本発明に係る一実施例の斜視図
【図２】  本発明に係るスイッチ結線一回路の回路図
【図３】  本発明に係る三路スイッチ結線一回路の回路図
【図４】  本発明に係る一実施例の回路図
【図５】  本発明の他の実施例を示回路図
【図６】  本発明の他の実施例を示す斜視図
【図７】  本発明の他の実施例を示す斜視図
【図８】  本発明の他の実施例を示す斜視図
【図９】  本発明の他の実施例を示す斜視図
【図１０】  本発明の他の実施例を示す回路図
【図１１】  本発明の他の実施例を示す回路図
【発明を実施するための形態】
【０００８】  実施例について図面を参照して説明すると、図１〜図６、図９〜図１１に示すように、差し込み式電線コネクターをそれぞれ縦向き、横向きに並べて設けたときに差し込み穴が縦列、横列とも一直線になるように、差し込み穴の間隔を差し込み式電線コネクターの横幅と同じか、横幅以上の間隔にした差し込み式電線コネクターを用いて構成したもので、図２は左側から右側へ電源配線、スイッチ配線、負荷配線を並べ二本接続用差し込み式電線コネクターを用いてスイッチ結線をした回路図で、差し込み式電線コネクター（１、２３、５）を縦向きに、差し込み式電線コネクター（３、５）の間に二本接続用差し込み式電線コネクター（４）を横向きにして設け、差し込み式電線コネクター（１）と差し込み式電線コネクター（３）に電線（８）を差し込み電気的接続をして、差し込み式電線コネクター（２）と差し込み式電線コネクター（５）に電線（８）を差し込み電気的接続をした構造で縦六列に差し込み穴がある構造である。
図３は、図１の差し込み式電線コネクター（３、４）の下に二本接続用差し込み式電線コネクター（６、７）を横向き二列、差し込み穴を縦列、横列揃えて設ける構造で三路スイッチ結線をした回路図である。
図４は、差し込み式電線コネクター（１、２）に六本接続用差し込み式電線コネクター、差し込み式電線コネクター（３、５）に四本接続用差し込み式電線コネクターを用い、二本接続用差し込み式電線コネクター（４）を三個の構造にして結線した回路図で、分岐及びコンセント結線四回路、スイッチ結線二回路、三路スイッチ結線一回路できるものであり、図１はその斜視図である。
上述のように、差し込み式電線コネクター（３、４、５）の横列の差し込み穴が一列でスイッチ結線が一回路でき、差し込み式電線コネクター（１、２）の横列の差し込み穴の列数分、電源配線及び分岐配線、コンセント配線の結線ができる構造のものである。
【０００９】  以下、他の実施例を示す。
図５は図３の回路図で、差し込み式電線コネクター（１）と差し込み式電線コネクター（５）を電気的に接続をして、差し込み式電線コネクター（２）と差し込み式電線コネクター（３）を電気的に接続したもので、差し込み式電線コネクター（１、２）に電源配線を差し込むと差し込み式電線コネクター（３、５）にも電源が接続されるため、図３と同様の結線ができるものである。
【００１０】  図６は三路スイッチ結線回路がなく、また差し込み式電線コネクター（１）の電通部と差し込み式電線コネクター（３）の電通部を導電材（９）を用いて直接、電気的接続をして、差し込み式電線コネクター（２）の電通部と差し込み式電線コネクター（５）の電通部を導電材（９）を用いて直接、電気的接続をしたものの斜視図である。
【００１１】  図７は図４の回路と差し込み構造を用いて差し込み式電線コネクター（１）と差し込み式電線コネクター（３）及び差し込み式電線コネクター（２）と差し込み式電線コネクター（５）の電気的接続は差し込み式電線コネクターの電通部を直接、電気的接続をして箱状のものにしたものの斜視図で図４の回路より分岐配線、コンセント配線の結線とスイッチ結線が一回路多くできるものである。
【００１２】  図８は図１の斜視図の、差し込み式電線コネクター（１、２、３、４、５、６、７）を固定台（１０）に設け、固定台（１０）にカバー（１１）を設けたものの斜視図である。
【００１３】  図９は図１の斜視図で、差し込み式電線コネクター（１、２、３、４、５、６、７）を左右対象に並べた構造のもので回路が左右対象になるだけのものである。
【００１４】  図１０は図４の回路を二個設けた回路図で、差し込み式電線コネクター（１）二個と差し込み式電線コネクター（３）二個の電通部を直接、導電材（９）で電気的接続をして、差し込み式電線コネクター（２）二個と差し込み式電線コネクター（５）二個の電通部を直接、導電材（９）で電気的接続をしたもので分岐配線、コンセント配線の結線が十一回路、スイッチ結線六回路、三路スイッチ結線二回路ができるものである。
【００１５】  図１１は図１０の回路の差し込み式電線コネクター（１、２）を差し込み式電線コネクター（３、４、５）の上に設ける構造にしたものの回路図である。
【符号の説明】
【００１６】１、２、３、５  差し込み式電線コネクター
４、６、７  二本接続用差し込み式電線コネクター
８  電線
９  導電材
１０  固定台
１１  カバー
【図１】
2011086594.tif 000003
【図２】
2011086594.tif 000004
【図３】
2011086594.tif 000005
【図４】
2011086594.tif 000006
【図５】
2011086594.tif 000007
【図６】
2011086594.tif 000008
【図７】
2011086594.tif 000009
【図８】
2011086594.tif 000010
【図９】
2011086594.tif 000011
【図１０】
2011086594.tif 000012
【図１１】
2011086594.tif 000013